(57)【特許請求の範囲】
【請求項１】
ネスティング及びスタッキング可能な運搬用容器であって、その運搬用容器とは異なり、ネスティング不能でかつ上面四隅に備えた上端凹部に下面四隅に備えた下端突部を嵌合してスタッキング可能な他種運搬用容器に対してもスタッキング可能な運搬用容器において、
前記他種運搬用容器の前記下端突部を嵌合可能な上端凹部を上面四隅に有した上端フランジ壁と、
側壁から側方に張り出されると共に、前記運搬用容器の四隅に配置されて、スタッキング相手の運搬用容器及び他種運搬用容器における前記上端凹部の底面に上方から載置可能な複数の底面載置支脚部と、
前記側壁の内面に形成されて上下方向に延びると共に上端部が前記上端凹部の底面に開放して、ネスティング相手の運搬用容器の前記底面載置支脚部を受容可能な底面載置支脚部用ポケット部とを備えたことを特徴とする運搬用容器。
【請求項２】
前記側壁から側方に張り出され、前記底面載置支脚部の下面より高い位置に下面を有し、前記スタッキング相手の運搬用容器及び他種運搬用容器の上面に上方から載置可能な複数の上面載置支脚部と、
前記側壁の内面に形成されて上下方向に延びると共に上端部が前記上端フランジ壁の上面に開放して、前記ネスティング相手の運搬用容器の前記上面載置支脚部を受容可能な上面載置支脚部用ポケット部とを備えたことを特徴とする請求項１に記載の運搬用容器。
【請求項３】
前記底面載置支脚部と前記上面載置支脚部とをペアにして前記運搬用容器の前記四隅に設けかつそれら各ペアの前記底面載置支脚部と前記上面載置支脚部とを前記四隅の稜線を挟んだ一方側と他方側とに分けて配置したことを特徴とする請求項２に記載の運搬用容器。
【請求項４】
一の側壁のうち横方向の両端部寄り位置に前記底面載置支脚部がそれぞれ配置される一方、
前記一の側壁と対向する他の側壁のうち横方向の両端部寄り位置に前記上面載置支脚部がそれぞれ配置され、
残りの２つの側壁には、前記一の側壁側の端部寄り位置に前記上面載置支脚部が配置される一方、前記他の側壁側の端部寄り位置に前記底面載置支脚部が配置されたことを特徴とする請求項３に記載の運搬用容器。
【請求項５】
前記上面載置支脚部の下方には、前記側壁から前記上面載置支脚部より低く突出して前記スタッキング相手の運搬用容器及び他種運搬用容器の上部開口縁に内側から突き合わせ可能なズレ防止突部が形成され、前記上面載置支脚部と共に前記ズレ防止突部を前記上面載置支脚部用ポケット部に受容可能としたことを特徴とする請求項１乃至４の何れかに記載の運搬用容器。
【請求項６】
前記底面載置支脚部より前記稜線から離れた位置には、前記側壁から前記上面載置支脚部より低く突出して前記スタッキング相手の運搬用容器及び他種運搬用容器の上部開口縁に内側から突き合わせ可能なズレ防止補助突部が設けられ、
前記側壁の内面に形成されて上下方向に延び、前記ズレ防止補助突部を受容可能な補助ポケット部を備えたことを特徴とする請求項１乃至５の何れかに記載の運搬用容器。
【発明の詳細な説明】
【技術分野】
【０００１】
本発明は、上面四隅の上端凹部に下面四隅の下端突部を嵌合して積み上げ可能な他の運搬用容器と併用されると共に、ネスティング及びスタッキング可能な運搬用容器に関する。
【背景技術】
【０００２】
一般に、運搬用容器は、荷物を収容して積み上げた場合より、荷物を収容せずに積み上げた場合の方がコンパクトになるように構成されている。その具体例として、折り畳み式運搬用容器と、ネスティング及びスタッキング可能な運搬用容器とが知られている。図１３に示された従来の折り畳み式運搬用容器１は、例えば、一方向で対向した１対の側壁３，３（図には一方の側壁３のみが示されている）を上端部を中心して内側に回動すると共に、残りの１対の側壁２，２を上下方向の中央部分で内側に２つ折りにすることで、折り畳み式運搬用容器１全体を上下方向に圧縮可能な構成になっている。
【０００３】
折り畳み式運搬用容器１の下面には、外縁部から内側にオフセットした矩形領域全体に格子形リブ４が形成されると共に、下面の四隅に下端突部５が形成されている。下端突部５は、角部の２等分線を挟んで互いに平行になった１対の平行面５Ａ，５Ａと、下面外縁と平行な１対の角側面５Ｂ，５Ｂと、格子形リブ４とに囲まれた、所謂、矢羽根形状をなしている。また、折り畳み式運搬用容器１の上面四隅には、下端突部５に対応した上端凹部６が形成されている。そして、折り畳み式運搬用容器１，１同士を積み上げた際に下端突部５が上端凹部６に嵌合して水平方向の位置ズレを防止する（例えば、特許文献１参照）。
【０００４】
一方、ネスティング及びスタッキング可能な運搬用容器は、一般にＳＮコンテナーと呼ばれ、側壁から側方に複数の支脚部を張り出して備えると共に、側壁の内面を陥没させて複数のポケット部を備えた構造になっている。そして、ＳＮコンテナーを積み上げた場合に、上側のＳＮコンテナーの各支脚部が、下側のＳＮコンテナーの上面に上方から載置されたスタッキング状態になり、スタッキング状態に対して上下のＳＮコンテナーを相対的に１８０度旋回して積み上げると、上側のＳＮコンテナーの各支脚部が下側のＳＮコンテナーの各ポケット部に受容されたネスティング状態になる（例えば、特許文献２参照）。
【特許文献１】実公平４−１５６３３号公報（実用新案登録請求の範囲、第１図、第４図、第５図）
【特許文献２】実用新案登録第２５８０６９８号公報（段落［０００２］、第３図）
【発明の開示】
【発明が解決しようとする課題】
【０００５】
ところで、物流の現場では、複数種類の運搬用容器が併用されている。しかしながら、上記した折り畳み式運搬用容器１の上面に上記した従来のＳＮコンテナーを積み上げると、ＳＮコンテナーの一部の支脚部が折り畳み式運搬用容器の上面に当接して、残りの支脚部が上端凹部の上方に浮き、積み上げ状態が不安定になるという欠点があった。
【０００６】
本発明は、上記事情に鑑みてなされたもので、上面四隅に上端凹部を有した相手側運搬用容器に対して安定して積み上げることが可能な運搬用容器の提供を目的とする。
【課題を解決するための手段】
【０００７】
上記目的を達成するためになされた請求項１の発明に係る運搬用容器は、ネスティング及びスタッキング可能な運搬用容器であって、その運搬用容器とは異なり、ネスティング不能でかつ上面四隅に備えた上端凹部に下面四隅に備えた下端突部を嵌合してスタッキング可能な他種運搬用容器に対してもスタッキング可能な運搬用容器において、他種運搬用容器の下端突部を嵌合可能な上端凹部を上面四隅に有した上端フランジ壁と、側壁から側方に張り出されると共に、運搬用容器の四隅に配置されて、スタッキング相手の運搬用容器及び他種運搬用容器における上端凹部の底面に上方から載置可能な複数の底面載置支脚部と、側壁の内面に形成されて上下方向に延びると共に上端部が上端凹部の底面に開放して、ネスティング相手の運搬用容器の底面載置支脚部を受容可能な底面載置支脚部用ポケット部とを備えたところに特徴を有する。
【０００８】
請求項２の発明は、請求項１に記載の運搬用容器において、側壁から側方に張り出され、底面載置支脚部の下面より高い位置に下面を有し、スタッキング相手の運搬用容器及び他種運搬用容器の上面に上方から載置可能な複数の上面載置支脚部と、側壁の内面に形成されて上下方向に延びると共に上端部が上端フランジ壁の上面に開放して、ネスティング相手の運搬用容器の上面載置支脚部を受容可能な上面載置支脚部用ポケット部とを備えたところに特徴を有する。
【０００９】
請求項３の発明は、請求項２に記載の運搬用容器において、底面載置支脚部と上面載置支脚部とをペアにして運搬用容器の四隅に設けかつそれら各ペアの底面載置支脚部と上面載置支脚部とを四隅の稜線を挟んだ一方側と他方側とに分けて配置したところに特徴を有する。
【００１０】
請求項４の発明は、請求項３に記載の運搬用容器において、一の側壁のうち横方向の両端部寄り位置に底面載置支脚部がそれぞれ配置される一方、一の側壁と対向する他の側壁のうち横方向の両端部寄り位置に上面載置支脚部がそれぞれ配置され、残りの２つの側壁には、一の側壁側の端部寄り位置に上面載置支脚部が配置される一方、他の側壁側の端部寄り位置に底面載置支脚部が配置されたところに特徴を有する。
【００１１】
請求項５の発明は、請求項１乃至４の何れかに記載の運搬用容器において、上面載置支脚部の下方には、側壁から上面載置支脚部より低く突出してスタッキング相手の運搬用容器及び他種運搬用容器の上部開口縁に内側から突き合わせ可能なズレ防止突部が形成され、上面載置支脚部と共にズレ防止突部を上面載置支脚部用ポケット部に受容可能としたところに特徴を有する。
【００１２】
請求項６の発明は、請求項１乃至５の何れかに記載の運搬用容器において、底面載置支脚部より稜線から離れた位置には、側壁から上面載置支脚部より低く突出してスタッキング相手の運搬用容器及び他種運搬用容器の上部開口縁に内側から突き合わせ可能なズレ防止補助突部が設けられ、側壁の内面に形成されて上下方向に延び、ズレ防止補助突部を受容可能な補助ポケット部を備えたところに特徴を有する。
【発明の効果】
【００１３】
［請求項１の発明］
請求項１の構成によれば、本発明の運搬用容器を他種運搬用容器にスタッキングすると、本発明の運搬用容器の四隅に備えた底面載置支脚部が、他種運搬用容器の上面四隅に備えた上端凹部の底面に載置されて安定する。また、本発明の運搬用容器同士をスタッキングした場合にも、上側の運搬用容器の四隅に備えた底面載置支脚部が、下側の運搬用容器の上面四隅に備えた上端凹部の底面に載置されて安定する。即ち、本発明の運搬用容器によれば、運搬用容器と他種運搬用容器とを問わず相手側運搬用容器に安定して積み上げることが可能になる。
【００１４】
［請求項２の発明］
請求項２の運搬用容器は、下面の高さが異なる底面載置支脚部と上面載置支脚部とを備えたことにより、それら底面載置支脚部と上面載置支脚部とを、相手側運搬用容器のうち高低差を有する上端凹部の底面と上面とにそれぞれ載置して安定して積み上げが可能になる。
【００１５】
［請求項３の発明］
請求項３の構成によれば、側壁同士が交差することで運搬用容器において比較的強度が高くなっている四隅に、底面載置支脚部と上面載置支脚部とをペアにして設けたので、この点においても積み上げ状態が安定する。
【００１６】
［請求項４の発明］
請求項４の構成によれば、本発明の運搬用容器が他種運搬用容器より小さく、かつ、本発明の運搬用容器の一辺の長さが他種運搬用容器の短辺の長さと共通している場合には、本発明の運搬用容器の４つの側壁のうち両端部寄り位置に１対の上面載置支脚部を備えた側壁を他種運搬用容器の一短辺に重ね、それら１対の上面載置支脚部を他種運搬用容器の上面に当接させる。これに加え、各端部寄り位置に底面載置支脚部と上面載置支脚部とを備えた１対の側壁を、他種運搬用容器の１対の長辺に重ね、それら底面載置支脚部と上面載置支脚部とを他種運搬用容器の上端凹部の底面と上面とに当接させる。これにより、本発明の運搬用容器を、それより大きな他種運搬用容器に安定した状態にして積み上げることができる。なお、他種運搬用容器の長辺が運搬用容器の一辺の２倍以上である場合には、２つの運搬用容器を１つの他種運搬用容器上に安定した状態にして積み上げることができる。
【００１７】
［請求項５及び６の発明］
請求項５の運搬用容器によれば、ズレ防止突部を相手側運搬用容器の上部開口縁に内側から突き合わせることで、水平方向におけるズレを防ぐことができる。また、請求項６の運搬用容器によれば、ズレ防止補助突部を相手側運搬用容器の上部開口縁に内側から突き合わせることで、水平方向におけるズレを防ぐことができる。
【発明を実施するための最良の形態】
【００１８】
以下、本発明の一実施形態を図１〜図１１に基づいて説明する。
本実施形態の運搬用容器１０は、上面が開放した箱形構造をなし、その平面形状は長方形になっている。運搬用容器１０の上端部からは、側方に上端フランジ壁１１が張り出されている。また、運搬用容器１０のうち上端フランジ壁１１の下方位置からは、上端フランジ壁１１と外縁形状が同一の補強フランジ壁１２が側方に張り出され、さらに、補強フランジ壁１２の下方位置からは、その補強フランジ壁１２の四辺の中間部を切除してなる部分フランジ壁１３が張り出されている。これら上端フランジ壁１１、補強フランジ壁１２及び部分フランジ壁１３は上下方向に等間隔に配置されると共に、相互間が複数箇所で補強リブ１４によって接合されている。
【００１９】
運搬用容器１０の側壁２０のうち部分フランジ壁１３の下側位置からは、本発明に係る底面載置支脚部１５と上面載置支脚部１６とが側方に張り出している。図２に示すように底面載置支脚部１５は、１対の縦リブの下端部間を横リブで連絡した構造をなし、部分フランジ壁１３の下面から側壁２０の下端部まで延びている。また、運搬用容器１０の底壁２３には、下方に格子形リブ２３Ｌが形成されており、その格子形リブ２３Ｌの下端面が底面載置支脚部１５の下面１５Ａと面一になっている。
【００２０】
上面載置支脚部１６は、１対の縦リブの下端部間を横リブで連絡した構造をなし、部分フランジ壁１３の下面から側壁２０の下端寄り位置まで延びている。そして、上面載置支脚部１６の下面１６Ａは、底面載置支脚部１５の下面１５Ａより高い位置に配置され、これら上面載置支脚部１６の下面１６Ａと底面載置支脚部１５の下面１５Ａとの高低差は、上端フランジ壁１１の上面１１Ａと後述する上端凹部２２の底面２２Ａとの高低差と等しい大きさになっている。
【００２１】
側壁２０のうち上面載置支脚部１６の下側には、ズレ防止突部１７が形成されている。ズレ防止突部１７は、上面載置支脚部１６と同じ幅をなし、側壁２０からの突出量が上面載置支脚部１６より小さくなっている。また、このズレ防止突部１７も、１対の縦リブの下端部を横リブで連絡した構造をなし、上面載置支脚部１６の下面から側壁２０の下端部まで延びている。そして、ズレ防止突部１７の下面は底面載置支脚部１５の下面１５Ａと面一になっている。
【００２２】
側壁２０の下縁部には、各底面載置支脚部１５の横隣にズレ防止補助突部１８が形成されている。ズレ防止補助突部１８は、中実構造をなして側壁２０から突出している。そして、ズレ防止補助突部１８及びズレ防止突部１７の側壁２０からの突出量は同じになっている。即ち、ズレ防止補助突部１８の突出端面１８Ａとズレ防止突部１７の突出端面１７Ａとが面一になっている。
【００２３】
図３に示すように底面載置支脚部と上面載置支脚部とは、ペアになって運搬用容器１０の四隅に偏在すると共に四隅の稜線Ｌ１（図１参照）を挟んで一方側と他方側とに分けて配置されている。具体的には、運搬用容器１０の平面形状は長方形になっており、一方の長辺Ｈ１の両端部寄り位置に底面載置支脚部１５，１５が配置される一方、他方の長辺Ｈ２の両端部寄り位置に上面載置支脚部１６，１６が配置され、さらに、両短辺Ｈ３，Ｈ４には、他の長辺Ｈ２側の端部寄り位置に底面載置支脚部１５が配置され、他方の端部寄り位置に上面載置支脚部１６が配置されている。
【００２４】
また、全ての上面載置支脚部１６の下方にズレ防止突部１７が配置され、全ての上面載置支脚部１６に対して角部から離れた側の横隣にズレ防止補助突部１８が配置されている。これにより、底面載置支脚部１５、上面載置支脚部１６、ズレ防止突部１７及びズレ防止補助突部１８は、運搬用容器１０の長辺方向の中心線ＣＬ１に対しては線対称でかつ短辺方向の中心線ＣＬ２に対しては非線対称になっている。
【００２５】
図８に示すように、運搬用容器１０の上面四隅には、折り畳み式運搬用容器４０の上面と同様に上端凹部２２が形成されている。ここで、折り畳み式運搬用容器４０は、運搬用容器１０と同じ長方形の平面形状をなし、上面が開放した箱形になっている。また、この折り畳み式運搬用容器４０は、従来から公知の構造をなし、上端部の枠体４１と下端部の底壁体４２と各側壁４３，４４とを別部品で構成して所要箇所をヒンジで連結した構造になっている。そして、短辺側の１対の側壁４４，４４を上端部を中心して内側に回動すると共に、長辺側の１対の側壁４３，４３を上下方向の中央部分で内側に２つ折りにすることで、折り畳み式運搬用容器４０全体を上下方向に圧縮することができる。さらに、折り畳み式運搬用容器４０の下面四隅には、図１３に示した従来の折り畳み式運搬用容器１の突部５と同形状の下端突部４５が形成され、折り畳み式運搬用容器４０の上面四隅には、下端突部４５を嵌合可能な上端凹部４６が形成されている。
【００２６】
図８に示すように運搬用容器１０の上面四隅に形成された上端凹部２２は、上記折り畳み式運搬用容器４０の上端凹部４６の一部をネスティング用の底面載置支脚部用ポケット部２５及び上面載置支脚部用ポケット部２６にて切り欠いた形状になっている。具体的には、各上端凹部２２の底面２２Ａには、運搬用容器１０の四隅の稜線Ｌ１を挟んで一方側に、底面載置支脚部１５を受容する底面載置支脚部用ポケット部２５が形成されている。また、底面載置支脚部用ポケット部２５に対して稜線Ｌ１を挟んで他方側には、上端凹部２２の端部を切り欠くようにして、上面載置支脚部１６を受容する上面載置支脚部用ポケット部２６が形成されている。さらに、底面載置支脚部用ポケット部２５に対して稜線Ｌ１より離れた側には、ズレ防止補助突部１８を受容する補助ポケット部２８が形成されている。これら底面載置支脚部用ポケット部２５、上面載置支脚部用ポケット部２６及び補助ポケット部２８は、側壁２０の一部を側方に膨出させてなり、上下方向に延びている。また、補助ポケット部２８は、底面載置支脚部用ポケット部２５及び上面載置支脚部用ポケット部２６より側壁２０の内面からの深さが小さくなっている。さらに、底面載置支脚部用ポケット部２５、上面載置支脚部用ポケット部２６及び補助ポケット部２８の上端部は上方に開放し、下端部は共に上端凹部２２の上下方向の中間位置（詳細には、部分フランジ壁１３が張り出した位置）で閉塞している。
【００２７】
図１に示すように運搬用容器１０の一短辺を構成する側壁２０には、幅広溝２９が形成されている。この幅広溝２９は、側壁２０の横方向の一端寄り位置から他端寄り位置に亘った範囲を底面載置支脚部用ポケット部２５及び上面載置支脚部用ポケット部２６の下端部と同じ位置まで外側に膨出させてなり、側壁２０の内面からの深さは補助ポケット部２８と略同じになっている。そして、幅広溝２９の一端側が上面載置支脚部用ポケット部２６に連通し、他端側にズレ防止補助突部１８が受容されるようになっている。
【００２８】
運搬用容器１０の上部開口縁には、ズレ防止突部１７及びズレ防止補助突部１８の突出量に対応した幅の段差部３０が形成されている。この段差部３０の底面は、上端凹部２２の底面２２Ａと面一になっている。また、運搬用容器１０の一短辺では、幅広溝２９が形成されたことで段差部３０の一部のみが底面載置支脚部用ポケット部２５寄り位置に残されている。
【００２９】
本実施形態の構成は以上である。次に、本実施形態の作用効果について説明する。図９に示すように、運搬用容器１０を折り畳み式運搬用容器４０の上面に積み上げると、運搬用容器１０のうち底面載置支脚部１５の下面１５Ａが、折り畳み式運搬用容器４０の上面四隅における上端凹部４６の底面４６Ａに当接する。また、運搬用容器１０のうち底面載置支脚部１５の下面１５Ａより高い位置にある上面載置支脚部１６の下面１６Ａが、折り畳み式運搬用容器４０の上面４０Ａのうち上端凹部４６の隣接部分に当接する。さらに、運搬用容器１０のズレ防止突部１７とズレ防止補助突部１８とが、折り畳み式運搬用容器４０の上部開口縁に内側から突き合わされる。なお、図１０には、運搬用容器１０を折り畳み式運搬用容器４０に積み上げた状態における底面載置支脚部１５、上面載置支脚部１６、ズレ防止突部１７及びズレ防止補助突部１８に配置が概念的に示されている。
【００３０】
このように、本実施形態の運搬用容器１０は、下面１５Ａ，１６Ａの高さが異なる底面載置支脚部１５と上面載置支脚部１６とを備えたことで、折り畳み式運搬用容器４０のうち高低差を有する上端凹部４６の底面４６Ａと上面４０Ａとに、底面載置支脚部１５と上面載置支脚部１６とを安定して載置することができる。また、ズレ防止突部１７とズレ防止補助突部１８とにより、折り畳み式運搬用容器４０に対する運搬用容器１０の水平方向におけるズレも防ぐことができる。なお、運搬用容器１０上に折り畳み式運搬用容器４０を積み上げた場合には、折り畳み式運搬用容器４０の下端突部４５が運搬用容器１０の上端凹部２２に嵌合して、横ズレを防止した状態で安定した積み上げが可能になる。
【００３１】
運搬用容器１０同士をスタッキングする場合には、図４に示すように、上下の運搬用容器１０，１０同士を相対的に旋回させずに積み上げる。ここで、運搬用容器１０は、折り畳み式運搬用容器４０に対応して上端凹部２２を上面四隅に有した上端フランジ壁１１を備えているので、運搬用容器１０，１０同士をスタッキングした場合にも、図５に示すように、下側の運搬用容器１０において、高低差を有する上端凹部２２の底面２２Ａと上端フランジ壁１１の上面１１Ａとに、底面載置支脚部１５と上面載置支脚部１６とを安定して載置することができる。また、この状態で、上側の運搬用容器１０のズレ防止突部１７とズレ防止補助突部１８とが、下側の運搬用容器１０の段差部３０に収まって運搬用容器１０の上部開口縁に内側から突き合わされる。これにより、折り畳み式運搬用容器４０に対する運搬用容器１０の水平方向におけるズレを防ぐことができる。
【００３２】
また、図６に示すように、上下の運搬用容器１０，１０を相対的に１８０度旋回させて上下に重ねると、上側の運搬用容器１０の底面載置支脚部１５，上面載置支脚部１６，ズレ防止補助突部１８が、下側の運搬用容器１０における底面載置支脚部用ポケット部２５、上面載置支脚部用ポケット部２６及び補助ポケット部２８に受容されて運搬用容器１０，１０が図７に示したネスティング状態になる。ここで、底面載置支脚部１５、ズレ防止突部１７及びズレ防止補助突部１８の下面同士は面一になっており、底面載置支脚部用ポケット部２５、上面載置支脚部用ポケット部２６及び補助ポケット部２８の下面同士も面一になっている。これにより、そして、これら底面載置支脚部１５、ズレ防止突部１７及びズレ防止補助突部１８の各下面と、底面載置支脚部用ポケット部２５、上面載置支脚部用ポケット部２６及び補助ポケット部２８の各下面とがそれぞれ当接して、ネスティング状態も安定する。
【００３３】
図１１に示すように、運搬用容器１０の長辺と同じ長さの短辺を有した折り畳み式運搬用容器５０に対して運搬用容器１０を積み上げる場合には、以下のようである。即ち、運搬用容器１０の４つの側壁のうち両端に１対の上面載置支脚部１６，１６を備えた側壁２０を折り畳み式運搬用容器５０の一短辺Ｈ１０に重ね、それら１対の上面載置支脚部１６，１６を折り畳み式運搬用容器５０の上面５０Ａに当接させる。これに加え、両端に底面載置支脚部１５と上面載置支脚部１６とを備えた１対の側壁２０，２０を、折り畳み式運搬用容器５０の１対の長辺Ｈ１１，Ｈ１２に重ね、それら底面載置支脚部１５と上面載置支脚部１６とを折り畳み式運搬用容器５０の上端凹部４６の底面４６Ａと上面５０Ａとに当接させる。これにより、運搬用容器１０を、それより大きな折り畳み式運搬用容器５０に安定した状態にして積み上げることができる。特に図１１に示すように、折り畳み式運搬用容器５０の長辺Ｈ１１，Ｈ１２が運搬用容器１０の短辺の２倍以上である場合には、２つの運搬用容器１０，２０を１つの折り畳み式運搬用容器５０上に安定した状態にして積み上げることができる。
【００３４】
上記したように本実施形態の運搬用容器１０によれば、同一の運搬用容器１０と折り畳み式運搬用容器４０とを問わず、上面四隅に上端凹部２２，４６を有した相手側運搬用容器（１０，４０）に安定した積み上げが可能になる。しかも、側壁２０，２０同士が交差することで比較的強度が高くなっている四隅に、これら底面載置支脚部１５と上面載置支脚部１６とを偏在させたのでこの点においても積み上げ状態が安定する。
【００３５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３６】
（１）前記実施形態の運搬用容器１０は、平面形状が長方形であったが、平面形状が正方形の運搬用容器に本発明を適用してもよい。
【００３７】
（２）前記実施形態では、ズレ防止突部１７とズレ防止補助突部１８とによりスタッキング時の横ずれを防いでいたが、例えば上端凹部２２の段差面と底面載置支脚部１５との当接によって横ずれを防ぐ構成や、折り畳み式運搬用容器の上面外縁部から起立した突条（図示せず）と上面載置支脚部との当接によって横ずれを防ぐ構成にしてもよい。
【００３８】
（３）前記実施形態では、底面載置支脚部１５の下面１５Ａと運搬用容器１０の底壁２３に形成された格子形リブ２３Ｌの下面とが面一になっていたが、面一でなくてもよい。
【００３９】
（４）前記実施形態の運搬用容器１０には、底面載置支脚部１５と上面載置支脚部１６との両方が備えられていたが、運搬用容器に底面載置支脚部のみを備え、上面載置支脚部を備えない構成にしてもよい。具体的には、図１２に示すように、運搬用容器１０の何れの部位にも上面載置支脚部を設けず、運搬用容器１０の四隅に稜線を挟んで１対ずつの底面載置支脚部１５を備えた構成とし、これら１対ずつ計８つの底面載置支脚部１５が、折り畳み式運搬用容器４０の上面四隅における上端凹部４６の底面４６Ａに載置される構成にしてもよい。
【図面の簡単な説明】
【００４０】
【図１】本発明の一実施形態に係る運搬用容器を斜め上方から見た斜視図
【図２】運搬用容器を斜め下方から見た斜視図
【図３】底面載置支脚部と上面載置支脚部との配置を示した運搬用容器の概念図
【図４】スタッキングする際の運搬用容器同士の配置を示した斜視図
【図５】スタッキングされた１対の運搬用容器の斜視図
【図６】ネスティングする際の運搬用容器同士の配置を示した斜視図
【図７】ネスティングされた１対の運搬用容器の斜視図
【図８】運搬用容器を折り畳み式運搬用容器の上方に離して配置した状態の斜視図
【図９】運搬用容器を折り畳み式運搬用容器の上面に積み上げた状態の斜視図
【図１０】その状態を上方から見た概念図
【図１１】運搬用容器を比較的大きな折り畳み式運搬用容器の上面に積み上げた状態を上方から見た概念図
【図１２】変形例の運搬用容器の概念図
【図１３】従来の折り畳み式運搬用容器の斜視図
【符号の説明】
【００４１】
１０    運搬用容器
４０  折り畳み式運搬用容器
１１    上端フランジ壁
１１Ａ    上面
１５    底面載置支脚部
１５Ａ    下面
１６    上面載置支脚部
１６Ａ    下面
１７    ズレ防止突部
１８    ズレ防止補助突部
２０    側壁
２２，４６    上端凹部
２２Ａ，４６Ａ    底面
２５    底面載置支脚部用ポケット部
２６    上面載置支脚部用ポケット部
２８    補助ポケット部
４０Ａ    上面
４５    下端突部
【図１】
0004784980.tif 000002
【図２】
0004784980.tif 000003
【図３】
0004784980.tif 000004
【図４】
0004784980.tif 000005
【図５】
0004784980.tif 000006
【図６】
0004784980.tif 000007
【図７】
0004784980.tif 000008
【図８】
0004784980.tif 000009
【図９】
0004784980.tif 000010
【図１０】
0004784980.tif 000011
【図１１】
0004784980.tif 000012
【図１２】
0004784980.tif 000013
【図１３】
0004784980.tif 000014